(57)【要約】【課題】耐張碍子の内部に容易に挿入でき、絶縁操作棒で操作が容易な電線用クランプカバーを提供する。【解決手段】クランプカバー１０は、カバー部分体１とカバー本体２を備える。カバー部分体１は、引留クランプ９と耐張碍子Ｓｉとの接続部９０を挟むように覆うことができる。カバー本体２は、引留クランプ９を挟むように覆うことができる。カバー部分体１は、接続部９０を覆う膨出部１１、耐張碍子Ｓｉに設けた凹部Ｓａに進入可能な突出部１２、及び輪帯状の溝部１３を有する。カバー本体２は、溝部１３に着脱自在に嵌合する係止部となる接続開口２３を外壁の一部に設けている。クランプカバー１０は、耐張碍子Ｓｉの凹部Ｓａに進入させることが容易であり、カバー部分体１の溝部１３にカバー本体２を取り付けて、互いに離間困難に連結できる。【選択図】図１
2013252004.tif 000002
【特許請求の範囲】
【請求項１】
電線をクランプすると共に、耐張碍子を介して構造物に引き留められた引留クランプを絶縁状態で覆う電線用クランプカバーであって、
前記引留クランプと前記耐張碍子との接続部を挟むように覆うカバー部分体と、
前記引留クランプを挟むように覆うカバー本体と、を備え、
前記カバー部分体は、
中央部に形成され、前記接続部を覆う膨出部と、
一方の端部に突出し、前記耐張碍子に設けた凹部に進入可能な突出部と、
他方の端部の外壁に形成された輪帯状の溝部と、を有し、
前記カバー本体は、前記溝部に着脱自在に嵌合する係止部を有する電線用クランプカバー。
【請求項２】
前記カバー部分体は、
一方の端部を開閉自在に連結した一対の第１分割体と、
これらの第１分割体の他方の端部から突出し、互いに係止可能な第１接続片と、を有し、
一方の前記第１接続片は、把持可能に他方の前記第１接続片より長く突出している請求項１記載の電線用クランプカバー。
【請求項３】
前記カバー本体は、
一方の端部を開閉自在に連結した一対の第２分割体と、
これらの第２分割体に開口され、前記溝部に嵌合可能な接続開口と、を有する請求項１又は２記載の電線用クランプカバー。
【請求項４】
前記カバー本体は、一対の前記第２分割体の他方の端部から突出し、互いに係止可能な一つ以上の第２接続片を更に有し、
一方の前記第２接続片は、把持可能に他方の前記第２接続片より長く突出している請求項３記載の電線用クランプカバー。
【発明の詳細な説明】
【技術分野】
【０００１】
本発明は、電線用クランプカバーに関する。特に、耐張碍子を介して、電線を電柱などに引き留める引留クランプを絶縁状態で覆う電線用クランプカバーの構造に関する。
【背景技術】
【０００２】
一般に、電線は、地上に立設された電柱に架設されている。電線を電柱に架設する場合、電線の被覆の一部を剥離し、この剥離部位を引留クランプでクランプすると共に、耐張碍子を介して、引留クランプを電柱に引き留めている。
【０００３】
上述した引留クランプは、複数の金属製の部材で構成され、充電された状態で露出しておくと危険である。したがって、引留クランプは、一般に、半分割状態に形成された開閉可能なクランプカバーを用いて、絶縁状態で覆っている。
【０００４】
ところで、上述したクランプカバーは、高所に配置されているため、絶縁操作棒を用いて、クランプカバーを閉じる作業が容易でなかった。又、従来のクランプカバーは、開口部に隙間ができ易く、特に、電線出口部では、電線が風力の影響で揺動し易く、電線出口部の隙間から鳥又は蛇などが進入して、地絡の原因になる心配があった。
【０００５】
このような不具合を解消するため、取り付け作業性が良好であり、開口部に隙間が生じにくい電線用クランプカバーが開示されている（例えば、特許文献１参照）。
【０００６】
又、引留クランプに直結した長尺の高圧中実耐張碍子の端部を引留クランプと共に一体覆う、電線用クランプカバーが開示されている（例えば、特許文献２参照）。
【０００７】
特許文献２による電線用クランプカバーは、それぞれ硬質合成樹脂からなるクランプ保護部と碍子保護部とが、円形凹部と円形凸部が嵌合した枢動連結部を介して相互に連結しているので、電線の軸線と高圧中実耐張碍子の軸線が一直線状にならず屈折しても、カバー開閉部が容易に開放分離しない、としている。
【先行技術文献】
【特許文献】
【０００８】
【特許文献１】特開２００７−３１２５７４号公報
【特許文献２】実開昭６３−８１６２１号公報
【発明の概要】
【発明が解決しようとする課題】
【０００９】
図６は、特許文献１による電線用クランプカバーの正面図である。図７は、特許文献１による電線用クランプカバーの正面図であり、一方のカバー体を開いた状態図である。図８は、特許文献１による電線用クランプカバーの変形例を示す正面図である。本願の図６及び図７は、特許文献１の図１及び図２に相当している。又、本願の図８は、特許文献１の図６に相当している。
【００１０】
図６又は図７を参照すると、特許文献１による電線用クランプカバー（以下、クランプカバーと略称する）７は、半分割状態に形成された一対のカバー本体７１・７１で構成している。一対のカバー本体７１・７１は、開閉自在に連結したヒンジ部７２ｈを一方の端部に有している。一対のカバー本体７１・７１の他方の端部を閉じることで、くさび型の引留クランプ９を絶縁状態で覆うことができる。
【００１１】
図６又は図７を参照すると、引留クランプ９は、耐張碍子Ｓｉを介して、図示しない電柱に引き留められている。引留クランプ９は、クランプ本体９１、三角体状のくさび体９２、及び押え金具９３で構成している。クランプ本体９１は、くさび体９２とスライド可能に連結している。又、クランプ本体９１は、耐張碍子Ｓｉと回動可能に連結する円環部９１ａを一端部に有し、受け部９１ｂを他端部に有している。受け部９１ｂには、電線Ｗの被覆Ｗｉが部分的に剥離された剥離部Ｗｅと共に、くさび体９２の端部が押し込まれている。
【００１２】
図７を参照すると、くさび体９２の斜面には、剥離部Ｗｅの外周を受ける円弧状の溝が形成されている。そして、くさび体９２と押え金具９３とがボルトで締結され、電線Ｗの剥離部Ｗｅを挟持（クランプ）している。このように構成された引留クランプ９は、絶縁性を有するクランプカバー７で覆われている（図６参照）。
【００１３】
図６又は図７を参照すると、一対のカバー本体７１・７１は、一組の施錠片７３ａ・７３ａを他方の端部に突出している。分割された施錠片７３ａをロックすることによって、一対のカバー本体７１・７１を袋状に閉じることができる。又、一対のカバー本体７１・７１は、一組の把持片７３ｂ・７３ｂを他方の端部に突出している。先端部に把持工具を有する絶縁操作棒（図示せず）を用いて、把持片７３ｂを把持することで、クランプカバー７を高所に移動できる。
【００１４】
図６又は図７を参照すると、一対のカバー本体７１・７１は、引留クランプ９の大部分を覆う三角体状のカバー本体部７０と、カバー本体部７０の第１隅部から突出した電線入口筒部７３と、カバー本体部７０の第２隅部から突出した電線出口筒部７４と、カバー本体部７０の第３隅部から突出した碍子連結部７５と、を有している。
【００１５】
図６又は図７を参照すると、カバー本体部７０は、電線入口筒部７３から電線Ｗを引き込むことができる。又、カバー本体部７０は、電線出口筒部７４から電線Ｗを引き出すことができる。更に、碍子連結部７５は、耐張碍子Ｓｉの端部に設けた連結部材Ｓｊを覆うことができる。そして、電線出口筒部７４とカバー本体部７０の間には、伸縮自在な可撓性を有する蛇腹部７４ａを介設している。
【００１６】
図６又は図７を参照すると、電線出口筒部７４とカバー本体部７０の間に蛇腹部７４ａを介設することで、カバー本体部７０に対して、電線出口筒部７４から延出する電線Ｗを揺動自在に保持することができる。又、碍子連結部７５は、膨出部７５ａを基端部に形成している。膨出部７５ａは、円環部９１ａと耐張碍子Ｓｉの連結部材Ｓｊを連結する連結ピン９１ｐを覆うために、外方に向けて膨出している。
【００１７】
図８を参照すると、特許文献１の変形例によるクランプカバー８は、半分割状態に形成された一対のカバー本体８１・８１と、半分割状態に形成された一対のカバー部分体８２・８２で構成している。一対のカバー本体８１・８１は、カバー本体部８０、電線入口筒部８３、及び電線出口筒部８４を有している。これらのカバー本体部８０、電線入口筒部８３、及び電線出口筒部８４は、クランプカバー７と同様の構成になっている。
【００１８】
図８を参照すると、一対のカバー部分体８２・８２は、クランプカバー７と同様の構成である、碍子連結部８５と膨出部８５ａを有している。更に、一対のカバー部分体８２・８２は、クランプカバー７と同様の構成である、施錠片８３ａと把持片８３ｂを有している。
【００１９】
図８を参照すると、一対のカバー部分体８２・８２は、嵌合凸部８６を碍子連結部８５と反対側に設けている。一方、一対のカバー本体８１・８１は、嵌合凹部８７をカバー本体部８０の第３隅部に設けている。そして、特許文献１の変形例によるクランプカバー８は、嵌合凸部８６を嵌合凹部８７に嵌合させて、一対のカバー本体８１・８１と一対のカバー部分体８２・８２を一体化できる、としている。
【００２０】
特許文献１の変形例によるクランプカバー８は、一対のカバー本体８１・８１から分離させた碍子連結部８５を耐張碍子Ｓｉに形成された凹部の奥まで挿入でき、碍子連結部８５を耐張碍子Ｓｉの内部に挿入した後に、カバー部分体８２をカバー本体８１に嵌合できるため、クランプカバーの取り付け作業の自由度が向上し、絶縁操作棒を用いた間接活線作業の作業性も向上する、としている。
【００２１】
しかしながら、図６を参照すると、電線入口筒部７３から延出した電線Ｗと連結部材Ｓｊとは、略一直線上に配置されている。図８を参照して、カバー部分体８２をカバー本体８１に嵌合させると、電線入口筒部８３から延出した電線Ｗ（図示せず）と連結部材Ｓｊとを略一直線上に配置することは困難である。つまり、図８に示されたカバー部分体８２は、把持片８３ｂを設ける余地が無い程度に縮小しないと、特許文献１の変形例によるクランプカバー８の実施は困難である。
【００２２】
碍子連結部を耐張碍子の内部に容易に挿入でき、かつ、絶縁操作棒で操作が容易な電線用クランプカバーが実現できれば、安全性が向上でき、かつ、クランプカバーの取り付け作業の自由度が向上し、絶縁操作棒を用いた間接活線作業の作業性も向上できる。
【００２３】
特許文献２に開示されたクランプ保護部と碍子保護部をそれぞれ、特許文献１の変形例によるカバー本体８１とカバー部分体８２と同様に構成し、クランプ保護部と碍子保護部が枢動連結部を介して相互に連結させれば、碍子連結部を耐張碍子の内部に容易に挿入でき、かつ、絶縁操作棒で操作が容易な電線用クランプカバーを実現できる。
【００２４】
しかしながら、特許文献２による電線用クランプカバーは、クランプ保護部に対して碍子保護部が回動するためには、碍子保護部の回動アームが動く隙間がクランプ保護部側に必要である。結局、特許文献２による電線用クランプカバーは、この隙間から鳥又は蛇などが進入して、地絡の原因になる心配がある。鳥又は蛇などが進入することのない電線用クランプカバーが求められている。そして、以上のことが本発明の課題といってよい。
【００２５】
本発明は、このような課題に鑑みてなされたものであり、碍子連結部を耐張碍子の内部に容易に挿入でき、かつ、絶縁操作棒で操作が容易な電線用クランプカバーを提供することを目的とする。
【課題を解決するための手段】
【００２６】
本発明者らは、引留クランプを挟むように覆うカバー本体と、引留クランプと耐張碍子との碍子連結部を挟むように覆うカバー部分体とで電線用クランプカバーを構成し、カバー部分体には、２連の輪帯を外壁に形成し、カバー本体には、２連の輪帯の間に嵌合する係止部を設けると共に、カバー部分体には、把持工具と開閉工具が兼用できる操作片を設けることで、これらの課題を解決できると考え、これに基づいて、以下のような新たな電線用クランプカバーを発明するに至った。
【００２７】
（１）本発明による電線用クランプカバーは、電線をクランプすると共に、耐張碍子を介して構造物に引き留められた引留クランプを絶縁状態で覆う電線用クランプカバーであって、前記引留クランプと前記耐張碍子との接続部を挟むように覆うカバー部分体と、前記引留クランプを挟むように覆うカバー本体と、を備え、前記カバー部分体は、中央部に形成され、前記接続部を覆う膨出部と、一方の端部に突出し、前記耐張碍子に設けた凹部に進入可能な突出部と、他方の端部の外壁に形成された輪帯状の溝部と、を有し、前記カバー本体は、前記溝部に着脱自在に嵌合する係止部を有する。
【００２８】
（２）前記カバー部分体は、一方の端部を開閉自在に連結した一対の第１分割体と、これらの第１分割体の他方の端部から突出し、互いに係止可能な第１接続片と、を有し、一方の前記第１接続片は、把持可能に他方の前記第１接続片より長く突出していることが好ましい。
【００２９】
（３）前記カバー本体は、一方の端部を開閉自在に連結した一対の第２分割体と、これらの第２分割体に開口され、前記溝部に嵌合可能な接続開口と、を有することが好ましい。
【００３０】
（４）前記カバー本体は、一対の前記第２分割体の他方の端部から突出し、互いに係止可能な一つ以上の第２接続片を更に有し、一方の前記第２接続片は、把持可能に他方の前記第２接続片より長く突出していることが好ましい。
【発明の効果】
【００３１】
本発明による電線用クランプカバーは、カバー部分体に対して、カバー本体の一部を着脱自在に嵌合できるように構成している。カバー部分体を接続部に先に取り付け、次に、カバー本体を引留クランプに取り付け、一体化できる。耐張碍子の凹部に進入させることが容易であり、カバー部分体の溝部にカバー本体を取り付けて、互いに離間困難に連結できる。
【図面の簡単な説明】
【００３２】
【図１】本発明の一実施形態による電線用クランプカバーの構成を示す正面図である。
【図２】前記実施形態による電線用クランプカバーの正面図であり、カバー本体を構成する一方の第２分割体を開いた状態図である。
【図３】前記実施形態による電線用クランプカバーに備わるカバー部分体の構成を示す正面図である。
【図４】前記実施形態による電線用クランプカバーに備わるカバー部分体の構成を示す正面図であり、カバー部分体を構成する一対の第１分割体を開いた状態図である。
【図５】図１の部分断面図であり、図５（Ａ）は、図１のＡ−Ａ矢視図、図５（Ｂ）は、図１のＢ−Ｂ矢視図、図５（Ｃ）は、図１のＣ−Ｃ矢視図である。
【図６】従来技術による電線用クランプカバーの正面図である。
【図７】従来技術による電線用クランプカバーの正面図であり、一方のカバー体を開いた状態図である。
【図８】従来技術による電線用クランプカバーの変形例を示す正面図である。
【発明を実施するための形態】
【００３３】
以下、図面を参照して本発明を実施するための形態を説明する。
［電線用クランプカバーの構成］
最初に、本発明の一実施形態による電線用クランプカバーの構成を説明する。図１は、本発明の一実施形態による電線用クランプカバーの構成を示す平面図である。
【００３４】
図２は、前記実施形態による電線用クランプカバーの正面図であり、カバー本体を構成する一方の第２分割体を開いた状態図である。図３は、前記実施形態による電線用クランプカバーに備わるカバー部分体の構成を示す正面図である。図４は、前記実施形態による電線用クランプカバーに備わるカバー部分体の構成を示す正面図であり、カバー部分体を構成する一対の第１分割体を開いた状態図である。
【００３５】
図５は、図１の部分断面図であり、図５（Ａ）は、図１のＡ−Ａ矢視図、図５（Ｂ）は、図１のＢ−Ｂ矢視図、図５（Ｃ）は、図１のＣ−Ｃ矢視図である。なお、従来技術で使用した符号と同じ符号は、その作用を同一にするので、以下の説明では割愛することがある。
【００３６】
（全体構成）
図１から図３を参照すると、本発明の一実施形態による電線用クランプカバー（以下、クランプカバーと略称する）１０は、カバー部分体１とカバー本体２を備えている。カバー部分体１は、引留クランプ９と耐張碍子Ｓｉとの接続部９０を挟むように覆うことができる。カバー本体２は、引留クランプ９を挟むように覆うことができる。
【００３７】
図１から図３を参照すると、カバー部分体１は、接続部９０を覆う膨出部１１、耐張碍子Ｓｉに設けた凹部Ｓａに進入可能な突出部１２、及び輪帯状の溝部１３を有している。膨出部１１は、カバー部分体１の中央部に形成されている。突出部１２は、カバー部分体１の一方の端部に突出している。溝部１３は、カバー部分体１の他方の端部の外壁に形成されている。
【００３８】
図１又は図２を参照すると、カバー本体２は、溝部１３に着脱自在に嵌合する係止部となる接続開口２３を外壁の一部に設けている。実体として、接続開口２３は、溝部１３をその両側から挟持する半円弧状の切り欠きである。一対の第２分割体２ｄｂ・２ｄｂを閉じると、半円弧状の切り欠きの端縁が溝部１３の底面に当接できる。
【００３９】
（カバー部分体の構成）
図３又は図４を参照すると、カバー部分体１は、半分割状態に形成された一対の第１分割体１ｄｂ・１ｄｂで構成している。これらの第１分割体１ｄｂ・１ｄｂは、開閉自在に連結したヒンジ部１１ｈを一方の端部に有している。一対の第１分割体１ｄｂ・１ｄｂの他方の端部を閉じることで、引留クランプ９と耐張碍子Ｓｉとの接続部９０を絶縁状態で覆うことができる（図１又は図２参照）。
【００４０】
図３又は図４を参照すると、カバー部分体１は、一対の第１分割体１ｄｂ・１ｄｂの他方の端部から突出した第１接続片１４ａ・１４ｂを有している。第１接続片１４ａは、突起１４ｔを有している（図５（Ａ）参照）。一方、第１接続片１４ｂは、突起１４ｔに嵌合する係止穴１４ｈを開口している（図２参照）。先端部に把持工具を有する絶縁操作棒（図示せず）を用いて、一対の第１接続片１４ａ・１４ｂを把持することで、一対の第１接続片１４ａ・１４ｂをロック（係止）できる。
【００４１】
図５（Ａ）を参照すると、一方の第１接続片１４ａは、他方の第１接続片１４ｂより長く突出している。先端部に把持工具６を有する絶縁操作棒（図示せず）を用いて、第１接続片１４ａを把持することで、一対の第１分割体１ｄｂ・１ｄｂが開いた状態で、カバー部分体１を高所に移動できる。
【００４２】
（カバー本体の構成）
図１又は図２及び図５を参照すると、カバー本体２は、半分割状態に形成された一対の第２分割体２ｄｂ・２ｄｂで構成している。これらの第２分割体２ｄｂ・２ｄｂは、開閉自在に連結したヒンジ部２１ｈを一方の端部に有している。一対の第２分割体２ｄｂ・２ｄｂの他方の端部を閉じることで、くさび型の引留クランプ９を絶縁状態で覆うことができる。
【００４３】
図１又は図２及び図５を参照すると、一対の第２分割体２ｄｂ・２ｄｂは、引留クランプ９の大部分を覆う三角体状のカバー本体部２０と、カバー本体部２０の第１隅部から突出した電線入口筒部２１と、カバー本体部２０の第２隅部から突出した電線出口筒部２２と、カバー本体部２０の第３隅部に設けた接続開口２３と、を有している。
【００４４】
図１又は図２を参照すると、カバー本体部２０は、電線入口筒部２１から電線Ｗを引き込むことができる。又、カバー本体部２０は、電線出口筒部２２から電線Ｗを引き出すことができる。更に、接続開口２３には、カバー部分体１を連結できる。そして、電線出口筒部２２とカバー本体部２０の間には、伸縮自在な可撓性を有する蛇腹部２２ａを介設している。電線出口筒部２２とカバー本体部２０の間に蛇腹部２２ａを介設することで、カバー本体部２０に対して、電線出口筒部２２から延出する電線Ｗを揺動自在に保持することができる。
【００４５】
図１又は図２及び図５（Ｂ）を参照すると、カバー本体２は、一対の第２分割体２ｄｂ・２ｄｂの他方の端部から突出した一組の第２接続片２４ａ・２４ｂを有している。第２接続片２４ａは、突起２４ｔを有している（図５（Ｂ）参照）。一方、第２接続片２４ｂは、突起２４ｔに嵌合する係止穴２４ｈを開口している（図２参照）。先端部に把持工具を有する絶縁操作棒（図示せず）を用いて、一対の第２接続片２４ａ・２４ｂを把持することで、一対の第２接続片２４ａ・２４ｂをロック（係止）できる。
【００４６】
図５（Ｂ）を参照すると、一方の第２接続片２４ａは、他方の第２接続片２４ｂより長く突出している。先端部に把持工具６を有する絶縁操作棒（図示せず）を用いて、第２接続片２４ａを把持することで、一対の第２分割体２ｄｂ・２ｄｂが開いた状態で、カバー本体２を高所に移動できる。
【００４７】
図１又は図２及び図５（Ｃ）を参照すると、カバー本体２は、一対の第２分割体２ｄｂ・２ｄｂの第２隅部から突出した第３接続片２５ａ・２５ｂを有している。第３接続片２５ａは、突起２５ｔを有している（図５（Ｃ）参照）。一方、第３接続片２５ｂは、突起２５ｔに嵌合する係止穴２５ｈを開口している（図２参照）。先端部に把持工具を有する絶縁操作棒（図示せず）を用いて、一対の第３接続片２５ａ・２５ｂを把持することで、一対の第３接続片２５ａ・２５ｂをロック（係止）できる。
【００４８】
［電線用クランプカバーの作用］
次に、実施形態によるクランプカバー１０の操作方法を説明しながら、クランプカバー１０の作用及び効果を説明する。
【００４９】
最初に、図３又は図５（Ａ）を参照して、先端部に把持工具６を有する絶縁操作棒（図示せず）を用いて、第１接続片１４ａを把持し、一対の第１分割体１ｄｂ・１ｄｂが開いた状態で、カバー部分体１を接続部９０に移動する。次に、図１を参照して、一対の第１分割体１ｄｂ・１ｄｂが略閉じた状態で、突出部１２を耐張碍子Ｓｉの凹部Ｓａに進入させる。
【００５０】
次に、図３又は図５（Ａ）を参照して、先端部に把持工具６を有する絶縁操作棒（図示せず）を用いて、第１接続片１４ａを把持しながら、別の絶縁操作棒（図示せず）を用いて、一対の第１接続片１４ａ・１４ｂを挟持し、一対の第１接続片１４ａ・１４ｂをロックすることで、カバー部分体１の取り付け作業を完了する。
【００５１】
次に、図１又は図２及び図５（Ｃ）を参照して、先端部に把持工具６を有する絶縁操作棒（図示せず）を用いて、第２接続片２４ａを把持し、一対の第２分割体２ｄｂ・２ｄｂが開いた状態で、カバー本体２を引留クランプ９に移動する。
【００５２】
次に、図１から図３及び図５（Ｃ）を参照して、先端部に把持工具６を有する絶縁操作棒（図示せず）を用いて、第２接続片２４ａを把持しながら、カバー部分体１の溝部１３に接続開口２３が嵌合するように、別の絶縁操作棒（図示せず）を用いて、一組の第２接続片２４ａ・２４ｂを挟持し、一組の第２接続片２４ａ・２４ｂをロックする。更に、別の絶縁操作棒（図示せず）を用いて、第３接続片２５ａ・２５ｂを挟持し、第３接続片２５ａ・２５ｂをロックすることで、カバー本体２の取り付け作業を完了する。
【００５３】
図１から図６を参照して、実施形態によるクランプカバー１０は、カバー部分体１に対して、カバー本体２の一部を着脱自在に嵌合できるように構成している。カバー部分体１を引留クランプ９と耐張碍子Ｓｉとの接続部９０に先に取り付け、次に、カバー本体２を引留クランプ９に取り付け、一体化できる。
【００５４】
図１から図６を参照して、実施形態によるクランプカバー１０は、耐張碍子Ｓｉの凹部Ｓａに進入させることが容易であり、カバー部分体１の溝部１３にカバー本体２を取り付けて、互いに離間困難に連結できる。
【００５５】
図３及び図５（Ａ）を参照すると、実施形態によるカバー部分体１は、互いに係止可能な一対の第１接続片１４ａ・１４ｂを有し、一方の第１接続片１４ａは、把持可能に他方の第１接続片１４ｂより長く突出している。これにより、カバー部分体１を高所に移動できると共に、一対の第１接続片１４ａ・１４ｂをロックできる。
【００５６】
図８と図３を対比すると、従来技術によるカバー部分体８２が施錠片８３ａと把持片８３ｂを有しているのに対し、実施形態によるカバー部分体１は、施錠片８３ａと把持片８３ｂと同じ機能を一対の第１接続片１４ａ・１４ｂで代用している。したがって、実施形態によるカバー部分体１は、従来よりコンパクトに構成できるという利点がある。
【００５７】
本発明による電線用クランプカバーは、絶縁操作棒を用いた間接活線作業に好適な実施形態を開示したが、絶縁手袋を用いた直接活線作業にも適用できる。本発明による電線用クランプカバーは、間接活線作業が効率化され、作業時間の短縮が期待できる。
【符号の説明】
【００５８】
１  カバー部分体
２  カバー本体
９  引留クランプ
１０  クランプカバー（電線用クランプカバー）
１１  膨出部
１２  突出部
１３  溝部
２３  接続開口（係止部）
Ｓａ  凹部
Ｓｉ  耐張碍子
Ｗ  電線
【図１】
2013252004.tif 000003
【図２】
2013252004.tif 000004
【図３】
2013252004.tif 000005
【図４】
2013252004.tif 000006
【図５】
2013252004.tif 000007
【図６】
2013252004.tif 000008
【図７】
2013252004.tif 000009
【図８】
2013252004.tif 000010